(57)【要約】【課題】スラリー供給口内のスラリー詰まりの点検作業が容易となる濾板とする。【解決手段】締付・開放自在に対向して配置された濾板２を有し、これら濾板２の締付時に、その間に形成される濾室２８内に、濾板表面に形成されたスラリー供給口１６からスラリーＳが供給される濾布走行式フィルタープレス１の；濾板２について、スラリー供給口１６を、濾板２の幅方向中央部より側方にずれた部位に形成する。【選択図】図５
2004081930.tif 000002
【特許請求の範囲】
【請求項１】
締付・開放自在に対向して配置された濾板を有し、これら濾板の締付時に、その間に形成される濾室内に、濾板表面に形成されたスラリー供給口からスラリーが供給される濾布走行式フィルタープレスの；濾板であって、
前記スラリー供給口が、前記濾板の幅方向中央部より側方にずれた部位に形成されていることを特徴とする濾布走行式フィルタープレスの濾板。
【請求項２】
締付・開放自在に対向して配置された濾板と、これら濾板の少なくとも締付時にその間に配される一対の濾布とを有し、前記濾板の締付時に、その間に形成される濾室内に、濾布に形成されたスラリー流入口を介してスラリーが供給される濾布走行式フィルタープレスの；濾布であって、
前記スラリー流入口が、前記濾板の幅方向中央部より側方にずれた部位に面していることを特徴とする濾布走行式フィルタープレスの濾布。
【請求項３】
締付・開放自在に対向して配置された濾板と、これら濾板の少なくとも締付時にその間に配される一対の濾布とを有し、前記濾板の締付時に、その間に形成される濾室内に、濾板表面に形成されたスラリー供給口から濾布に形成された前記スラリー供給口と面するスラリー流入口を介してスラリーが供給される濾布走行式フィルタープレスであって、
前記スラリーの供給口及び流入口が、前記濾板の幅方向中央部より側方にずれた部位に形成されていることを特徴とする濾布走行式フィルタープレス。
【請求項４】
締付・開放自在に対向して配置された濾板と、これら濾板の少なくとも締付時にその間に配される一対の濾布と、これら濾布を吊持する前記濾板の上面に備えられた吊持手段とを有し、前記濾板の締付時に、その間に形成される濾室内に、前記濾板の上面から突出するスラリー取り込み部と濾板内を通る連通孔を介して連なる濾板表面に形成されたスラリー供給口から、スラリーが供給される濾布走行式フィルタープレスであって、
前記吊持手段が、前記濾板上面の幅方向中央部に１つのみ備えられ、
かつ、前記スラリー取り込み部及び前記スラリー供給口が、前記濾板の幅方向中央部より側方にずれた部位に形成されていることを特徴とする濾布走行式フィルタープレス。
【発明の詳細な説明】
【０００１】
【発明の属する技術分野】
本発明は、濾布走行式フィルタープレスの濾板、濾布及び濾布走行式フィルタープレスに関する。より詳しくは、対向して配置された濾板の締め付けと開放とが繰り返されるのにともなって、かかる濾板間に供給されたスラリーが濾液と濾渣（脱水ケーキ）とに分離される形態の濾布走行式フィルタープレス並びにそれを構成する濾板及び濾布に関する。
【０００２】
【従来の技術】
この種の濾布走行式フィルタープレスには、例えば、特公昭５５−３８１６７号公報（単式フィルタプレス用の濾布）や、特公昭５５−３７９２８号公報（フィルタプレス）などに開示されるものがある。
これらのフィルタープレスは、図１に模式的に示すような濾板１０１及び濾布１０２が使用された構造となっている。
すなわち、濾板１０１は、その上面幅方向中央部から突出するスラリー取り込み部１０３と、このスラリー取り込み部１０３と連通孔１０４を介して連通されている濾板表面１０１ａの幅方向中央部に形成されたスラリー供給口１０５と、を有している。また、濾布１０２は、その幅方向中央部に形成されたスラリー流入口１０６を有している。濾布１０６は、濾板１０１上面幅方向両側部にそれぞれ備えられた吊持手段１０７，１０７によって上下に走行させられ（濾布走行式）、濾板１０１の締付時においては、スラリー流入口１０６がスラリー供給口１０５に重なるように吊持される。スラリー取り込み部１０３から取り込まれたスラリーは、連通孔１０４を通された後、スラリー供給口１０５からスラリー流入口１０６を介して対向する濾板１０１，１０１で形成される図示しない濾室内に供給される。
【０００３】
【発明が解決しようとする課題】
しかるに、この従来のフィルタープレス並びにそれを構成する濾板及び濾布には、以下に示すような問題あった。
すなわち、一般に、フィルタープレスは、スラリー供給口１０５内にスラリーが詰まっていないか、スラリー流入口１０６周辺部における濾布１０２の損傷が生じていないか、スラリー供給口１０５とスラリー流入口１０６とが正確に重なり合っているか、などについて、目視による点検作業がなされる。
しかしながら、対向する濾板１０１，１０１は、開放時においもせいぜい５ｃｍ程度までしか離れないため、スラリー供給口１０５が濾板１０１の幅方向中央部に形成されていると、スラリー供給口１０５内におけるスラリーの詰まりの点検作業が、困難、あるいは不確かなものとなる（なお、一般に、大型濾板であると濾板幅が２ｍほどにもなる。）。また、同様に、スラリー流入口１０６周辺部における濾布１０２の損傷が生じていないか、スラリー供給口１０５とスラリー流入口１０６とが正確に重なり合っているか、などの点検作業についても困難、あるいは不確かなものとなる。
【０００４】
そこで、本発明の主たる課題は、▲１▼スラリー供給口内のスラリー詰まりの点検作業が容易となる濾板、▲２▼スラリー流入口周辺部の損傷の点検作業が容易となる濾布、▲３▼スラリー供給口とスラリー流入口との重なりの点検作業が容易となるフィルタープレスを提供することにある。
【０００５】
【課題を解決するための手段】
上記課題を解決した本発明は、次のとおりである。
＜請求項１記載の発明＞
締付・開放自在に対向して配置された濾板を有し、これら濾板の締付時に、その間に形成される濾室内に、濾板表面に形成されたスラリー供給口からスラリーが供給される濾布走行式フィルタープレスの；濾板であって、
前記スラリー供給口が、前記濾板の幅方向中央部より側方にずれた部位に形成されていることを特徴とする濾布走行式フィルタープレスの濾板。
【０００６】
（作用効果）
スラリー供給口が濾板の幅方向中央部より側方にずれた部位に形成されているので、スラリー供給口が濾板の幅方向中央部に形成されている従来の形態の場合に比して、スラリー供給口内のスラリーの詰まりを確認する作業が容易となる。
【０００７】
＜請求項２記載の発明＞
締付・開放自在に対向して配置された濾板と、これら濾板の少なくとも締付時にその間に配される一対の濾布とを有し、前記濾板の締付時に、その間に形成される濾室内に、濾布に形成されたスラリー流入口を介してスラリーが供給される濾布走行式フィルタープレスの；濾布であって、
前記スラリー流入口が、前記濾板の幅方向中央部より側方にずれた部位に面していることを特徴とする濾布走行式フィルタープレスの濾布。
【０００８】
（作用効果）
スラリー流入口が濾板の幅方向中央部より側方にずれた部位に面しているので、スラリー流入口が濾板の幅方向中央部に面している従来の形態の場合に比して、濾布のスラリー流入口周辺部分の損傷を確認する作業が容易となる。
【０００９】
＜請求項３記載の発明＞
締付・開放自在に対向して配置された濾板と、これら濾板の少なくとも締付時にその間に配される一対の濾布とを有し、前記濾板の締付時に、その間に形成される濾室内に、濾板表面に形成されたスラリー供給口から濾布に形成された前記スラリー供給口と面するスラリー流入口を介してスラリーが供給される濾布走行式フィルタープレスであって、
前記スラリーの供給口及び流入口が、前記濾板の幅方向中央部より側方にずれた部位に形成されていることを特徴とする濾布走行式フィルタープレス。
【００１０】
（作用効果）
スラリーの供給口及び流入口が濾板の幅方向中央部より側方にずれた部位に形成されているので、スラリーの供給口及び流入口が濾板の幅方向中央部に形成されている従来の形態の場合に比して、スラリーの供給口とスラリー流入口との重なり状態を確認する作業が容易となる。
【００１１】
＜請求項４記載の発明＞
締付・開放自在に対向して配置された濾板と、これら濾板の少なくとも締付時にその間に配される一対の濾布と、これら濾布を吊持する前記濾板の上面に備えられた吊持手段とを有し、前記濾板の締付時に、その間に形成される濾室内に、前記濾板の上面から突出するスラリー取り込み部と濾板内を通る連通孔を介して連なる濾板表面に形成されたスラリー供給口から、スラリーが供給される濾布走行式フィルタープレスであって、
前記吊持手段が、前記濾板上面の幅方向中央部に１つのみ備えられ、
かつ、前記スラリー取り込み部及び前記スラリー供給口が、前記濾板の幅方向中央部より側方にずれた部位に形成されていることを特徴とする濾布走行式フィルタープレス。
【００１２】
（作用効果）
スラリー供給口が濾板の幅方向中央部より側方にずれた部位に形成されているので、スラリー供給口が濾板の幅方向中央部に形成されている従来の形態の場合に比して、スラリー供給口内のスラリーの詰まりを確認する作業が容易となる。
【００１３】
また、スラリー取り込み部もスラリー供給口と同様に、濾板の幅方向中央部より側方にずれた部位に形成されているので、濾板内におけるスラリーの流れが直線的になり、円滑になる。
【００１４】
さらに、濾布の吊持手段が濾板上面の幅方向中央部に備えられているので、濾板上面の幅方向中央部から側方にずれた部位から突出するスラリー取り込み部と重ならない。しかも、濾布の吊持手段は１つのみとされているので、濾布の吊持手段が濾板幅方向両側端部にそれぞれ設けられている従来の形態の場合に比して、吊持手段の故障が半減する。
【００１５】
【発明の実施の形態】
以下、本発明の実施の形態を説明する。
＜フィルタープレス＞
図２に、本実施の形態に係る濾布走行式フィルタープレス１の正面図を示した。
本フィルタープレス１は、設置面Ｇ上に設置された一対の支持脚９，９と、この支持脚９，９の間に水平方向に並んで配列された複数の濾板２，２…と、隣接する（対向する）濾板２，２の間に配された一対の濾布３，３と、から主になる。
【００１６】
濾板２は、図３に示すように、その両表面に凹部４，４が形成されており、一方の凹部４は、その表面がダイアフラム５によって覆われている。これらの凹部４，４の存在により、濾板２，２…の締付時に、対向する濾板２，２間に、濾室が形成される。また、一方の凹部４のほぼ中央部には円形張出し部４Ａが形成されている。この円形張出し部４Ａには、ボルトＶ，Ｖによってダイアフラム係止材５１が固定されており、このダイアフラム係止材５１によってダイアフラム５が係止され、もって濾板２に対するダイアフラム５の取り付け強化が図られている。
【００１７】
複数の濾板２，２…には、１つおきに、図４に示すように、その上面に、一対の濾布３，３を吊持するための吊持手段２０，２０…が、備えられている。この吊持手段２０は、濾板２の両表面に沿う、一対の滑車２１，２１を有している。この滑車２１は、濾板２の並び方向（水平方向）に延在するシャフト６と連結されている。このシャフト６は、支持脚９，９上に取り付けられた軸受け７，７によって軸支されており、モーターなどからなる駆動源Ｍによって、軸心周りに正逆回転自在とされている。この正逆回転にともなって、前記滑車２１，２１…も正逆回転する。
【００１８】
複数の濾板２，２…は、隣接する濾板２，２相互が連結材１０によって連結されることにより、一体化されている。かかる隣接する濾板２，２相互の連結は、その間の距離が可変となるようになされている。そして、一端に配列された濾板２Ａは一方の支持脚９に固定され、他端に配列された濾板２Ｂは、介在部材１１を介して、他方の支持脚９に取り付けられた水平方向に伸縮する油圧シリンダー１２に固定されている。したがって、油圧シリンダー１２の伸縮作用により、隣接する濾板２，２相互間の距離の調節、つまり濾板の締付・開放がなされることになる。
【００１９】
各濾板２には、図４に示すように、その両側部に、側方に向かって延在するガイド１３，１３が備えられている。このガイド１３には、その下端部に、下方に面するローラー１４，１４が備えられている。このローラー１４は、両端部が一対の支持脚９，９に取り付けられ、複数の濾板２，２…の両側面に沿うようにして水平に配置されたレール材１５，１５上を転がるようになっている。これにより、先の油圧シリンダー１２による濾板の締付・開放が円滑になされる。
【００２０】
各濾板２には、図３及び一端に配列された濾板２Ａについて図５に示すように、濾板２の上端部（一方の凹部４の上方）で、かつその幅方向中央部より側方に（紙面右方向に）、好ましくは幅方向中央線から中心位置までの距離が濾板幅の１０分の１以上側方にずれた位置に、より好ましくは幅方向中央線から中心位置までの距離が濾板幅の５分の１以上側方にずれた位置に、スラリー供給口１６が形成されている。そして、このスラリー供給口１６は、濾板２の上面から突出するスラリー取り込み部１７と、濾板２内を通る連通孔１８を介して上下に連通されている。前述したように、濾板２上面の幅方向中央部には、濾布３の吊持手段２１が備えられているが、スラリー取り込み部１７は、濾板２上面の幅方向中央部より側方にずれた部位から突出するようになっているので、両者が重なり合うことはない。スラリー取り込み部１７から取り込まれたスラリーは、連通孔１８を通り、スラリー供給口１６から濾室内に供給される。
【００２１】
他方、一対の濾布３，３は、図２に示すように、その上縁に１つの濾布吊持棒１９が備えられている。この濾布吊持棒１９は、その幅方向中央部に、滑車２１からその回転に伴って巻き出され、又は滑車２１にその回転に伴って巻き戻されるワイヤー２２が取り付けられている。したがって、濾布３は、ワイヤー２２及び濾布吊持棒１９を介して、滑車２１により、吊持された状態となっており、この滑車２１の回転にあわせて、上下に走行（移動）する（濾布走行式）。
【００２２】
ワイヤー２２が滑車２１から巻き出された際の、濾布３下端部は、濾板２の下面に取り付けられた巻き取り機構３０によって収納される。具体的には、図２中に拡大して示すように、下部ロール３１Ａ，３１Ｂによって走行方向を、鋭角的に変更された後、巻き取りロール３２に巻き取られる。本実施の形態では、一対の濾布３，３のうちの一方の濾布３と、隣接する一対の濾布３，３のうちの一方の濾布３とが、１つの巻き取りロール３２に巻き取られる。
【００２３】
また、濾布３には、図６に示すように、スラリー流入口２３が、濾板２の幅方向中央部より側方にずれた部位に面して、形成されている（なお、濾板幅と濾布幅とが同じ長さである場合は、濾板２の幅方向中央部より側方にずれた部位は、濾布３の幅方向中央部より側方にずれた部位でもある。）。濾室内へ、スラリーを供給するに際しては、滑車２１の回転により、濾板２に形成されたスラリー供給口１６と、かかるスラリー流入口２３とが面するように設計されている。スラリー供給口１６からのスラリーは、スラリー流入口２３を介して濾室内（一対の濾布３，３の間）に供給されることになる。
【００２４】
スラリー供給口１６及びスラリー流入口２３は、その形状が特に限定されるものではなく、例えば、正方形状、長方形状などとすることもできる。ただし、濾板２内におけるスラリーの流れを円滑にするという観点からは、円形状とするのが好ましい。また、濾板２内におけるスラリーの流れを円滑にするという観点に加えて、スラリーを濾室内に円滑に分散させるという観点からは、本実施の形態のように、幅方向に長く、かつ両端部が円弧状とされた形状とするのが好ましい。この形態によれば、本発明のようにスラリー供給口１６及びスラリー流入口２３が、濾板２の幅方向中央部より側方にずれた部位に形成されている場合においても、スラリーを濾室内に円滑に分散させることができる。
【００２５】
なお、図４及び図５における２４は、凹部４と孔２５を介して連通する濾液排出口である。また、２６は、圧力水の供給・排出口である。
【００２６】
＜脱水処理＞
次に、以上のフィルタープレスを使用したスラリーの脱水処理について、説明する。
（締付工程）
図７の（１）に示すように、まず、複数の濾板２，２…を、油圧シリンダー１２で締め付けることにより、各対向する濾板２，２間に濾室２８を形成する。
【００２７】
（濾過工程）
濾板締付圧が所定圧に達したら、図７の（２）に示すように、スラリー供給口１６から濾室２８（一対の濾布３，３の間）内に、スラリーＳを圧入（供給）する。これによりスラリーＳは濾過され、濾液は、濾板２及びダイアフラム５の表面に形成された濾液溝２７，２７…（拡大図以外においては、点線で示している。）を介して、排出口２４から外部に排出される。
【００２８】
（圧搾工程）
以上の濾過を所定時間行ったら、次に、図７の（３）に示すように、圧力水供給口２６からダイアフラム５と濾板２との間に、圧力水Ｗを供給する。これにより、ダイアフラム５がスラリーＳ側に押され、スラリーＳは、圧搾されて水分量がさらに低下する。
【００２９】
（乾燥工程）
以上の圧搾を所定時間行ったら、次に、図７の（４）に示すように、圧縮空気を用いてスラリー供給口１６内に残存するスラリーＳを排出する。このスラリーＳの排出に利用された圧縮空気は、さらに濾液溝２７，２７…内に残留する濾液をも、外部に排出させる。他方、この工程においては、ダイアフラム５と濾板２との間に供給された圧力水Ｗを、圧力水排出口２６を通して外部に排出する。
【００３０】
（開放・排出工程）
圧力水Ｗが外部に排出されたら、図７の（５）に示すように、濾板２，２…の下方に備わるケーキシュート４０，４０を開き、次いで、油圧シリンダー１２によって、濾板２を順次開放する。そして、この濾板２の開放と同時に、張り合わされていた一対の濾布３，３を、少なくともその下端を開くように一斉に降下させ、一対の濾布３，３間の脱水ケーキＤを排出する。脱水ケーキＤは、濾布３，３が下部ロール３１Ａ，３１Ｂで走行方向を変更される際の屈曲及び自重により、濾布３から剥離され、ケーキシュート４０，４０の下方に備わるコンベア４１上に排出される。通常はかかる下部ロール３１Ａ，３１Ｂの存在のみで脱水ケーキＤの濾布３からの剥離が可能であるが、剥離性が悪い場合には、濾布３を挟んで下部ロール３１Ａ，３１Ｂの反対側に、濾布３から脱水ケーキＤを掻き取るスクレーパ（図示せず）を設け、濾布３に付着した脱水ケーキＤを積極的に剥離するとよい。
【００３１】
（洗浄工程）
脱水ケーキＤがコンベア４１上に排出されたら、図７の（６）に示すように、ケーキシュート４０，４０を閉じ、濾布３を上昇させつつ、洗浄水管３３からの洗浄水Ｃにより洗浄する。以後、以上の工程が繰り返される。
【００３２】
【発明の効果】
以上のとおり、本発明によれば、スラリー供給口内のスラリー詰まりの点検作業が容易となる濾板、スラリー流入口周辺部の損傷の点検作業が容易となる濾布、スラリー供給口とスラリー流入口との重なりの点検作業が容易となる濾布走行式フィルタープレスとなる。
【図面の簡単な説明】
【図１】従来の濾布走行式フィルタープレス（主要部のみ）である。
【図２】本実施の形態の濾布走行式フィルタープレスである。
【図３】濾板の断面図である。
【図４】濾板の一方の表面を示した図である。
【図５】濾板の他方の表面を示した図である。
【図６】本実施の形態の濾布走行式フィルタープレス（主要部のみ）である。
【図７】脱水処理工程を説明するための図である。
【符号の説明】
１…濾布走行式フィルタープレス、２…濾板、３…濾布、４…凹部、５…ダイアフラム、１６…スラリー供給口、１７…取り込み部、２０…吊持手段、２３…スラリー流入口、Ｄ…脱水ケーキ、Ｓ…スラリー、Ｗ…圧力水。
【図１】
2004081930.tif 000003
【図２】
2004081930.tif 000004
【図３】
2004081930.tif 000005
【図４】
2004081930.tif 000006
【図５】
2004081930.tif 000007
【図６】
2004081930.tif 000008
【図７】
2004081930.tif 000009